(57)【要約】【課題】核イメージングのための放射性医薬品を生産する生産施設において生産されるべき放射性医薬品の最適化量を決定するためのコンピュータ実装される方法の提供。【解決手段】放射性医薬品の生産が、サイクロトロンボンバードメントプロセス段階；ターゲット抜き取りプロセス段階；放射性核種移送プロセス段階；品質管理プロセス段階；及び用量分配プロセス段階を包含し、コンピュータを使用して、生産施設における生産段階の用量分配プロセスの終了時に、ＮＣＹＣＬ基のサイクロトロン及びＮＴＲＧ個のターゲットによって生産が望まれる放射性核種ＱｔＤＳＰの総量を決定する。【選択図】図３
2018151385.tif 000002
【特許請求の範囲】
【請求項１】
顧客現場によってなされた注文の総需要を満たすために、前記顧客現場における核イメージングに使用するための放射性医薬品を生産する生産施設において生産されるべき放射性医薬品の最適化量を決定するためのコンピュータ実装される方法であって、前記生産施設が、１つ又はそれ以上のサイクロトロンを運用しており、ここで、前記放射性医薬品の前記生産は、ターゲットの放射性核種先駆体材料に荷電粒子を衝突させて放射性核種材料が生産されるサイクロトロンボンバードメントプロセス段階；ターゲット抜き取りプロセス段階；前記放射性核種材料が、前記ターゲット抜き取りプロセス段階から、前記放射性核種材料が放射性医薬品に変換される化学プロセス段階に移される放射性核種移送プロセス段階；品質管理試験のために前記放射性医薬品の試料採取が行なわれる品質管理プロセス段階；及び、前記放射性医薬品が、前記顧客現場への引き渡しのための個別の用量に分配される用量分配プロセス段階を包含し、前記コンピュータによって実行される前記方法が、
前記生産施設における生産段階ｔ（但し、ｔ＝１からＮＰＲＤ）の用量分配プロセスの終了時に、ＮＣＹＣＬ基のサイクロトロン及びＮＴＲＧ個のターゲットによって生産が望まれる放射性核種ＱｔＤＳＰの総量を決定することを包含し、ここで、ＱｔＤＳＰは、前記顧客現場によってなされた放射性医薬品の注文の前記総量ＱＣＵＳＴを満たすに充分である一方、前記放射性核種の過剰生産を最小化し、それによってＱｔＤＳＰが、次に示す条件付き制約（２３）を満たし、
【数１】
2018151385.tif 000032
（２３）
ここで、σ≧１であり、ｑｉは、１つ又はそれ以上の注文を行なった顧客現場ｉの総放射能需要であり、
Ｈｔ＝｛２，．．．，ＮＳＩＴＥＳ｝であり、ここで、ＮＳＩＴＥＳは、生産段階ｔによってその要求が満たされるべき注文を行なった前記顧客現場の数であり、
λは、前記放射性核種の放射性崩壊速度であり、
ＴｉｔＩＮＪは、生産段階ｔによってその要求が満たされるべき顧客現場ｉによってなされた前記１つ又はそれ以上の放射性医薬品の注文のうちの最先の注文についての時間であり、
ＴｔＤＳＰは、生産段階ｔにおける前記用量分配プロセスの開始時間であり、次に示す式（２２）によって定義され、
【数２】
2018151385.tif 000033
（２２）
ここで、ＱｔＤＳＰは、次に示す式（２１）を解くことによって決定され、
【数３】
2018151385.tif 000034
（２１）
ここで、ＱｔＥＯＵは、生産段階ｔにおいて、前記１つ又はそれ以上のサイクロトロンのターゲット抜き取りプロセスの前記終了時に生産されている放射性核種の前記総量であり、
ＦＲは、生産段階ｔにおいて、前記１つ又はそれ以上のサイクロトロンの前記ターゲット抜き取りプロセスの間に放射性崩壊に起因して失われる前記放射性核種の割合であり、
ＰＹは、生産段階ｔにおける、前記１つ又はそれ以上のサイクロトロンの前記ターゲット抜き取りプロセスを通した前記放射性核種のパーセント収率であり、
ＱＳは、生産段階ｔにおける、前記１つ又はそれ以上のサイクロトロンの前記化学プロセスの終了時における前記放射性核種の割合であり、
ＴＴＲＡＮは、生産段階ｔにおいて、前記１つ又はそれ以上のサイクロトロンの前記放射性核種移送プロセスの完了に要する時間量であり、
ＴＣＨＥＭは、生産段階ｔにおいて、前記１つ又はそれ以上のサイクロトロンの前記化学プロセスに要する時間であり、
ＴＱＣは、生産段階ｔにおいて、前記１つ又はそれ以上のサイクロトロンの前記品質管理プロセスに要する時間であり、
ＱｔＥＯＵは、次に示す式（２０）を解くことによって決定され、
【数４】
2018151385.tif 000035
（２０）
ここで、考慮される生産段階の数をＮＰＲＤとするとき、Ｔ＝｛１，．．．，ＮＰＲＤ｝であり、
前記生産施設内において利用可能なサイクロトロンの数をＮＣＹＣＬとするとき、Ｃ＝｛１，．．．，ＮＣＹＣＬ｝であり、
前記生産施設内に存在する全てのサイクロトロン内において利用可能なターゲットの数をＮＴＲＧとするとき、Ｇ＝｛１，．．．，ＮＴＲＧ｝であり、
ＢＣｉｊｔは、生産段階ｔにおけるターゲットｊに関するサイクロトロンｉの前記ビーム流であり、
ＳＹｉｊは、サイクロトロンｉ及びターゲットｊの飽和収量であり、
ＥＮｉｊは、サイクロトロンｉ及びターゲットｊにおける前記放射性核種先駆体材料の富化であり、
ＥＯＢｉｊｔは、生産段階ｔにおけるターゲットｊに関するサイクロトロンｉのボンバードメントの終了時間であり、
ＢＯＢｉｊｔは、生産段階ｔにおけるターゲットｊに関するサイクロトロンｉのボンバードメントの開始時間であり、
ＥＯＵｔは、生産段階ｔにおける全てのターゲットの抜き取りプロセスの終了時間であり、
（ＥＯＢｉｊｔ−ＢＯＢｉｊｔ）は、生産段階ｔにおけるターゲットｊに関するサイクロトロンｉのボンバードメントの持続時間であり、次に示す式（１３）によって最小化され、
【数５】
2018151385.tif 000036
（１３）
ここで、式（１３）は、以下に示す制約（１４）から（１９）を条件とし、
【数６】
2018151385.tif 000037
（１４）
ここで、ＴＢＭＢｍｉｎは、最短ボンバードメント時間、ＴＢＭＢｍａｘは、最長ボンバードメント時間であり、
【数７】
2018151385.tif 000038
（１５）
ここで、ＢＣｍｉｎ及びＢＣｍａｘは、サイクロトロンｉのために使用されるビーム流の、それぞれ、下限及び上限であり、ＢＣｉｊｔは、生産段階ｔにおけるターゲットｊに関する前記サイクロトロンｉの前記ビーム流であり、
【数８】
2018151385.tif 000039
（１６）
ここで、ＥＯＢｉ１ｔは、生産段階ｔにおけるターゲット１に関するサイクロトロンｉのボンバードメントの終了時間であり、制約（１６）は、いずれのサイクロトロンについても、全ての前記ターゲットの前記ボンバードメントの終了が同時に生じることを規定し、
【数９】
2018151385.tif 000040
（１７）
ここで、ＴｉｊＵＮＬＤは、サイクロトロンｉにおけるターゲットｊの前記抜き取り時間であり、ＥＯＵｔは、生産段階ｔにおける全ての抜き取りプロセスが完了する最も遅い時間であり、制約（１７）は、いずれの生産段階ｔにおいても、サイクロトロンｉ内の各ターゲットｊが、前記ボンバードメントプロセスの前記終了後に順次抜き取られることを規定し、
【数１０】
2018151385.tif 000041
2018151385.tif 000042
（１８）
ここで、ＢＯＢｉｊ１は、生産段階１におけるターゲットｊに関するサイクロトロンｉのボンバードメントの開始時間を定義し、ＴＩＮＩＴは、前記ボンバードメント開始前に必要な合計時間量を表し、ＴＳＴＡＲＴは、前記生産プロセスが開始する時間を午前零時から経過した分の数で表し、ＴＣＹＣＬ−ＩＮＩＴは、サイクロトロンｉの初期化に必要な時間量であり、ＴＴＲＧ−ＬＯＡＤは、ターゲットｊの装填に要する時間量であり、ＴＴＵＮＥ−ＢＥＡＭは、サイクロトロンｉのビーム流のチューニングに要する時間量であり、
【数１１】
2018151385.tif 000043
（１９）
ここで、ＥＯＵｔ−１は、生産段階ｔ−１におけるターゲットｊの抜き取りの終了を表わす時点であり、ＴＰＲＥＰは、次の生産段階のためにサイクロトロンｉを準備するために要する時間量であり、制約（１９）は、生産段階ｔにおける前記ボンバードメントの前記開始が直前の段階ｔ−１における前記分配プロセスの後に生じなければならないことを規定する、方法。
【請求項２】
ＴＢＭＢｍｉｎ＝３０分であり、かつＴＢＭＢｍａｘ＝４時間即ち２４０分である、請求項１に記載の方法。
【請求項３】
ＢＣｍｉｎ＝４０μＡであり、かつＢＣｍａｘ＝８０μＡである、請求項１に記載の方法。
【請求項４】
顧客現場によってなされた注文の総需要を満たすために、前記顧客現場における核イメージングに使用する用量を準備するための、最適化量の放射性医薬品を生産するための方法であって、前記放射性医薬品が、１つ又はそれ以上のサイクロトロンを運用する生産施設において生産され、前記放射性医薬品の生産が、ターゲットである放射性核種先駆体材料に荷電粒子を衝突させて放射性核種材料が生産されるサイクロトロンボンバードメントプロセス段階；ターゲット抜き取りプロセス段階；前記放射性核種材料が、前記ターゲット抜き取りプロセス段階から、前記放射性核種材料が放射性医薬品に変換される化学プロセス段階に移される放射性核種移送プロセス段階；品質管理試験のために前記放射性医薬品の試料採取が行なわれる品質管理プロセス段階；及び、前記放射性医薬品が、前記顧客現場への引き渡しのための個別の用量に分配される用量分配プロセス段階を包含し、前記方法が、
コンピュータを使用して、前記生産施設における生産段階ｔ（但し、ｔ＝１からＮＰＲＤ）の用量分配プロセスの終了時に、ＮＣＹＣＬ基のサイクロトロン及びＮＴＲＧ個のターゲットによって生産が望まれる放射性核種ＱｔＤＳＰの総量を決定することを包含し、ここで、ＱｔＤＳＰは、前記顧客現場によってなされた放射性医薬品の注文の前記総量ＱＣＵＳＴを満たすに充分である一方、前記放射性核種の過剰生産を最小化し、それによってＱｔＤＳＰは、次に示す条件付き制約（２３）を満たし、
【数１２】
2018151385.tif 000044
（２３）
ここで、σ≧１であり、ｑｉは、１つ又はそれ以上の注文を行なった顧客現場ｉの総放射能需要であり、
Ｈｔ＝｛２，．．．，ＮＳＩＴＥＳ｝であり、ここで、ＮＳＩＴＥＳは、生産段階ｔにおいて要求が満たされるべき注文を行なった前記顧客現場の数であり、
λは、前記放射性核種の放射性崩壊速度であり、
ＴｉｔＩＮＪは、生産段階ｔによってその要求が満たされるべき顧客現場ｉによってなされた前記１つ又はそれ以上の放射性医薬品の注文のうちの最先の注文についての時間であり、
ＴｔＤＳＰは、生産段階ｔにおける前記用量分配プロセスの開始時間であり、次に示す式（２２）によって定義され、
【数１３】
2018151385.tif 000045
（２２）
ここで、ＱｔＤＳＰは、次に示す式（２１）を解くことによって決定され、
【数１４】
2018151385.tif 000046
（２１）
ここで、ＱｔＥＯＵは、生産段階ｔにおいて、前記１つ又はそれ以上のサイクロトロンのターゲット抜き取りプロセスの前記終了時に生産されている放射性核種の前記総量であり、
ＦＲは、生産段階ｔにおいて、前記１つ又はそれ以上のサイクロトロンの前記ターゲット抜き取りプロセスの間に放射性崩壊に起因して失われる前記放射性核種の割合であり、
ＰＹは、生産段階ｔにおいて、前記１つ又はそれ以上のサイクロトロンの前記ターゲット抜き取りプロセスを通した前記放射性核種のパーセント収率であり、
ＱＳは、生産段階ｔにおいて、前記１つ又はそれ以上のサイクロトロンの前記化学プロセスの終了時における前記放射性核種の割合であり、
ＴＴＲＡＮは、生産段階ｔにおいて、前記１つ又はそれ以上のサイクロトロンの前記放射性核種移送プロセスの完了に要する時間量であり、
ＴＣＨＥＭは、生産段階ｔにおいて、前記１つ又はそれ以上のサイクロトロンの前記化学プロセスに要する時間であり、
ＴＱＣは、生産段階ｔにおいて、前記１つ又はそれ以上のサイクロトロンの前記品質管理プロセスに要する時間であり、
ＱｔＥＯＵは、次に示す式（２０）を解くことによって決定され、
【数１５】
2018151385.tif 000047
（２０）
ここで、考慮される生産段階の数をＮＰＲＤとするとき、Ｔ＝｛１，．．．，ＮＰＲＤ｝であり、
前記生産施設内において利用可能なサイクロトロンの数をＮＣＹＣＬとするとき、Ｃ＝｛１，．．．，ＮＣＹＣＬ｝であり、
前記生産施設内に存在する全てのサイクロトロン内において利用可能なターゲットの数をＮＴＲＧとするとき、Ｇ＝｛１，．．．，ＮＴＲＧ｝であり、
ＢＣｉｊｔは、生産段階ｔにおけるターゲットｊに関するサイクロトロンｉの前記ビーム流であり、
ＳＹｉｊは、サイクロトロンｉ及びターゲットｊの飽和収量であり、
ＥＮｉｊは、サイクロトロンｉ及びターゲットｊにおける前記放射性核種先駆体の富化であり、
ＥＯＢｉｊｔは、生産段階ｔにおけるターゲットｊに関するサイクロトロンｉのボンバードメントの終了時間であり、
ＢＯＢｉｊｔは、生産段階ｔにおけるターゲットｊに関するサイクロトロンｉのボンバードメントの開始時間であり、
ＥＯＵｔは、生産段階ｔにおける全てのターゲットの抜き取りプロセスの終了時間であり、
（ＥＯＢｉｊｔ−ＢＯＢｉｊｔ）は、生産段階ｔにおけるターゲットｊに関するサイクロトロンｉのボンバードメントの持続時間であり、次に示す式（１３）によって最小化され、
【数１６】
2018151385.tif 000048
（１３）
ここで、式（１３）は、以下に示す制約（１４）から（１９）を条件とし、
【数１７】
2018151385.tif 000049
（１４）
ここで、ＴＢＭＢｍｉｎは、最短ボンバードメント時間、ＴＢＭＢｍａｘは、最長ボンバードメント時間であり、
【数１８】
2018151385.tif 000050
（１５）
ここで、ＢＣｍｉｎ及びＢＣｍａｘは、サイクロトロンｉのために使用されるビーム流の、それぞれ、下限及び上限であり、ＢＣｉｊｔは、生産段階ｔにおけるターゲットｊに関する前記サイクロトロンｉの前記ビーム流であり、
【数１９】
2018151385.tif 000051
（１６）
ここで、ＥＯＢｉ１ｔは、生産段階ｔにおけるターゲット１に関するサイクロトロンｉのボンバードメントの終了時間であり、制約（１６）は、いずれのサイクロトロンについても、全ての前記ターゲットの前記ボンバードメントの終了が同時に生じることを規定し、
【数２０】
2018151385.tif 000052
（１７）
ここで、ＴｉｊＵＮＬＤは、サイクロトロンｉにおけるターゲットｊの前記抜き取り時間であり、ＥＯＵｔは、生産段階ｔにおける全ての抜き取りプロセスが完了する最も遅い時間であり、制約（１７）は、いずれの生産段階ｔにおいても、サイクロトロンｉ内の各ターゲットｊが、前記ボンバードメントプロセスの前記終了後に順次抜き取られることを規定し、
【数２１】
2018151385.tif 000053
2018151385.tif 000054
（１８）
ここで、ＢＯＢｉｊ１は、生産段階１におけるターゲットｊに関するサイクロトロンｉのボンバードメントの開始時間を定義し、ＴＩＮＩＴは、前記ボンバードメント開始前に必要な合計の時間量を表し、ＴＳＴＡＲＴは、前記生産プロセスが開始する時間を午前零時から経過した分の数で表し、ＴＣＹＣＬ−ＩＮＩＴは、サイクロトロンｉの初期化に必要な時間量であり、ＴＴＲＧ−ＬＯＡＤは、ターゲットｊの装填に要する時間量であり、ＴＴＵＮＥ−ＢＥＡＭは、サイクロトロンｉのビーム流のチューニングに要する時間量であり、
【数２２】
2018151385.tif 000055
（１９）
ここで、ＥＯＵｔ−１は、生産段階ｔ−１におけるターゲットｊの抜き取りの終了を表わす時点であり、ＴＰＲＥＰは、次の生産段階のためにサイクロトロンｉを準備するために要する時間量であり、制約（１９）は、生産段階ｔにおける前記ボンバードメントの前記開始が直前の段階ｔ−１における前記分配プロセスの後に、生じなければならないことを規定する方法であって、
更に、前記サイクロトロンのボンバードメントプロセスが時間ＢＯＢｉｊｔにおいて開始し、かつ時間ＥＯＢｉｊｔにおいて終了して、前記制約（１４）−（１９）に従って、用量分配プロセスの前記終了時に、前記決定された量のＱｔＤＳＰの放射性医薬品を生産する適切な量の放射性核種が生産されるように、生産段階ｔ内においてターゲットｊを用いて前記サイクロトロンｉのそれぞれを運用することを包含する方法。
【請求項５】
ＴＢＭＢｍｉｎ＝３０分であり、かつＴＢＭＢｍａｘ＝４時間、即ち２４０分である、請求項４に記載の方法。
【請求項６】
ＢＣｍｉｎ＝４０μＡであり、かつＢＣｍａｘ＝８０μＡである、請求項４に記載の方法。
【請求項７】
顧客現場によってなされた注文の総需要を満たすために、前記顧客現場における核イメージングに使用するための放射性医薬品を生産する放射性医薬品生産施設の運用を制御するための制御システムであって、ここで、前記生産施設は、１つ又はそれ以上のサイクロトロンを運用し、放射性医薬品の生産が、ターゲットの放射性核種先駆体材料に荷電粒子を衝突させて放射性核種材料が生産されるサイクロトロンボンバードメントプロセス段階；ターゲット抜き取りプロセス段階；前記放射性核種材料が、前記ターゲット抜き取りプロセス段階から前記放射性核種材料が放射性医薬品に変換される化学プロセス段階に、移される放射性核種移送プロセス段階；品質管理試験のために前記放射性医薬品の試料採取が行なわれる品質管理プロセス段階；及び、前記放射性医薬品が前記顧客現場への引き渡しのための個別の用量に分配される用量分配プロセス段階、を包含し、前記制御システムが、
コンピュータプログラムコードがエンコードされた非一過性の機械可読ストレージ媒体を有するプロセッサを包含し、
ここで、前記プロセッサが前記コンピュータプログラムコードを実行すると、前記プロセッサが、前記生産施設における生産段階ｔ（但し、ｔ＝１からＮＰＲＤ）の用量分配プロセスの終了時に、ＮＣＹＣＬ基のサイクロトロン及びＮＴＲＧ個のターゲットによって生産が望まれる放射性核種ＱｔＤＳＰの総量を決定するステップを包含する方法を実行し、ここで、ＱｔＤＳＰは、前記顧客現場によってなされた放射性医薬品の注文の前記総量ＱＣＵＳＴを満たすに充分である一方、前記放射性核種の過剰生産を最小化し、それによってＱｔＤＳＰは、次に示す条件付き制約（２３）を満たし、
【数２３】
2018151385.tif 000056
（２３）
ここで、σ≧１であり、ｑｉは、１つ又はそれ以上の注文を行なった顧客現場ｉの総放射能需要であり、
Ｈｔ＝｛２，．．．，ＮＳＩＴＥＳ｝であり、ここで、ＮＳＩＴＥＳは、生産段階ｔにおいて要求が満たされるべき注文を行なった前記顧客現場の数であり、
λは、前記放射性核種の放射性崩壊速度であり、
ＴｉｔＩＮＪは、生産段階ｔによってその要求が満たされるべき顧客現場ｉによってなされた前記１つ又はそれ以上の放射性医薬品の注文のうちの最先の注文についての時間であり、
ＴｔＤＳＰは、生産段階ｔにおける前記用量分配プロセスの開始時間であり、次に示す式（２２）によって定義され、
【数２４】
2018151385.tif 000057
（２２）
ここで、ＱｔＤＳＰは、次に示す式（２１）を解くことによって決定され、
【数２５】
2018151385.tif 000058
（２１）
ここで、ＱｔＥＯＵは、生産段階ｔにおいて、前記１つ又はそれ以上のサイクロトロンのターゲット抜き取りプロセスの前記終了時に生産されている放射性核種の前記総量であり、
ＦＲは、生産段階ｔにおいて、前記１つ又はそれ以上のサイクロトロンの前記ターゲット抜き取りプロセスの間に放射性崩壊に起因して失われる前記放射性核種の割合であり、
ＰＹは、生産段階ｔにおいて、前記１つ又はそれ以上のサイクロトロンの前記ターゲット抜き取りプロセスを通した前記放射性核種のパーセント収率であり、
ＱＳは、生産段階ｔにおいて、前記１つ又はそれ以上のサイクロトロンの前記化学プロセスの終了時における前記放射性核種の割合であり、
ＴＴＲＡＮは、生産段階ｔにおいて、前記１つ又はそれ以上のサイクロトロンの前記放射性核種移送プロセスの完了に要する時間量であり、
ＴＣＨＥＭは、生産段階ｔにおいて、前記１つ又はそれ以上のサイクロトロンの前記化学プロセスに要する時間であり、
ＴＱＣは、生産段階ｔにおいて、前記１つ又はそれ以上のサイクロトロンの前記品質管理プロセスに要する時間であり、
ＱｔＥＯＵは、次に示す式（２０）を解くことによって決定され、
【数２６】
2018151385.tif 000059
（２０）
ここで、考慮される生産段階の数をＮＰＲＤとするとき、Ｔ＝｛１，．．．，ＮＰＲＤ｝であり、
前記生産施設内において利用可能なサイクロトロンの数をＮＣＹＣＬとするとき、Ｃ＝｛１，．．．，ＮＣＹＣＬ｝であり、
前記生産施設内に存在する全てのサイクロトロン内において利用可能なターゲットの数をＮＴＲＧとするとき、Ｇ＝｛１，．．．，ＮＴＲＧ｝であり、
ＢＣｉｊｔは、生産段階ｔにおけるターゲットｊに関するサイクロトロンｉの前記ビーム流であり、
ＳＹｉｊは、サイクロトロンｉ及びターゲットｊの飽和収量であり、
ＥＮｉｊは、サイクロトロンｉ及びターゲットｊにおける前記放射性核種先駆体の富化であり、
ＥＯＢｉｊｔは、生産段階ｔにおけるターゲットｊに関するサイクロトロンｉのボンバードメントの終了時間であり、
ＢＯＢｉｊｔは、生産段階ｔにおけるターゲットｊに関するサイクロトロンｉのボンバードメントの開始時間であり、
ＥＯＵｔは、生産段階ｔにおける全てのターゲットの抜き取りプロセスの終了時間であり、
（ＥＯＢｉｊｔ−ＢＯＢｉｊｔ）は、生産段階ｔにおけるターゲットｊに関するサイクロトロンｉのボンバードメントの持続時間であり、次に示す式（１３）によって最小化され、
【数２７】
2018151385.tif 000060
（１３）
ここで、式（１３）は、以下に示す制約（１４）から（１９）を条件とし、
【数２８】
2018151385.tif 000061
（１４）
ここで、ＴＢＭＢｍｉｎは、最短ボンバードメント時間、ＴＢＭＢｍａｘは、最長ボンバードメント時間であり、
【数２９】
2018151385.tif 000062
（１５）
ここで、ＢＣｍｉｎ及びＢＣｍａｘは、サイクロトロンｉのために使用されるビーム流の、それぞれ、下限及び上限であり、ＢＣｉｊｔは、生産段階ｔにおけるターゲットｊに関する前記サイクロトロンｉの前記ビーム流であり、
【数３０】
2018151385.tif 000063
（１６）
ここで、ＥＯＢｉ１ｔは、生産段階ｔにおけるターゲット１に関するサイクロトロンｉのボンバードメントの終了時間であり、ここで、制約（１６）は、いずれのサイクロトロンについても、全ての前記ターゲットの前記ボンバードメントの終了が同時に生じることを規定し、
【数３１】
2018151385.tif 000064
（１７）
ここで、ＴｉｊＵＮＬＤは、サイクロトロンｉにおけるターゲットｊの前記抜き取り時間であり、ＥＯＵｔは、生産段階ｔにおける全ての抜き取りプロセスが完了する最も遅い時間であり、ここで、制約（１７）は、いずれの生産段階ｔにおいても、サイクロトロンｉ内の各ターゲットｊが、前記ボンバードメントプロセスの前記終了後に順次抜き取られることを規定し、
【数３２】
2018151385.tif 000065
2018151385.tif 000066
（１８）
ここで、ＢＯＢｉｊ１は、生産段階１におけるターゲットｊに関するサイクロトロンｉのボンバードメントの開始時間を定義し、ＴＩＮＩＴは、前記ボンバードメント開始前に必要な合計時間量を表し、ＴＳＴＡＲＴは、前記生産プロセスが開始する時間を午前零時から経過した分の数で表し、ＴＣＹＣＬ−ＩＮＩＴは、サイクロトロンｉの初期化に必要な時間量であり、ＴＴＲＧ−ＬＯＡＤは、ターゲットｊの装填に要する時間量であり、ＴＴＵＮＥ−ＢＥＡＭは、サイクロトロンｉのビーム流のチューニングに要する時間量であり、
【数３３】
2018151385.tif 000067
（１９）
ここで、ＥＯＵｔ−１は、生産段階ｔ−１におけるターゲットｊの抜き取りの終了を表わす時点であり、ＴＰＲＥＰは、次の生産段階のためにサイクロトロンｉを準備するために要する時間量であり、ここで、制約（１９）は、直前の段階ｔ−１における前記分配プロセスの後に生産段階ｔにおける前記ボンバードメントの前記開始が生じなければならないことを規定する、制御システム。
【請求項８】
ＴＢＭＢｍｉｎ＝３０分であり、かつＴＢＭＢｍａｘ＝４時間、即ち２４０分である、請求項７に記載の制御システム。
【請求項９】
ＢＣｍｉｎ＝４０μＡであり、かつＢＣｍａｘ＝８０μＡである、請求項７に記載の制御システム。
【発明の詳細な説明】
【技術分野】
【０００１】
この開示は、概して陽電子放射断層撮影のための短寿命放射性医薬品の生産に関する。
【背景技術】
【０００２】
陽電子放射断層撮影（ＰＥＴ）等の核医学イメージングに使用されるフルデオキシグルコース（ＦＤＧ）等の放射性医薬品は、サイクロトロン内において、ターゲット物質に対する荷電粒子による衝撃により生産される。サイクロトロンは、真空チャンバ内において、大型の磁石の２つの極の間に載置された金属製の２つのＤ形状の電極を含有する粒子加速器である。典型的には、負に荷電された粒子（陰イオン）が高電圧イオン源を介してチャンバの中心に注入される。２つの電極間に印加される高周波交流電圧が、粒子の運動エネルギを劇的に上昇させ、強い磁場によって、粒子がビームとして真空チャンバの中心から周縁に向かって螺旋を描いて進み、そこでビームがストリッピングフォイルと相互作用する。この相互作用は、加速された粒子から電子を奪い、それらを正荷電粒子に転換する結果をもたらす。粒子の正電荷は、加速されたビームの軌道を変更し、加速されたビームが真空チャンバから出て、ターゲットの含有物と衝突して放射性核種を放射する陽電子を生み出す。フッ素−１８の生産の場合は、加速される粒子は、通常、水素（プロチウム）であり、ターゲット物質は、典型的には富化水の形式の、酸素−１８となる。このプロセスは、ボンバードメントと呼ばれ、それが長く持続するほど、より多くのフッ素−１８が生産され、これが、より大量のＦＤＧの合成に使用されることになる。
【０００３】
その不安定な性質に起因して、フッ素−１８放射性核種は、ボンバードメントプロセス段階において生み出された直後から放射性崩壊を受けて、フッ素−１８に起因する放射能の量を減少させる。放射能が初期の量の半分になるまでの時間的な長さは、半減期と呼ばれ、フッ素−１８の場合は１０９．７７１分である。この比較的長い半減期により、フッ素−１８は、主に次の２つの理由から、医用イメージングにとって理想的な放射性核種となる：（ａ）生産施設、即ちラジオファーマシー、から相当な距離を輸送することが可能であり、また、（ｂ）約１０時間後に、患者の身体から実質的に除去される。
【０００４】
あらゆるラジオファーマシーにおける基本的な実践は、ＦＤＧのバッチ生産及び対応する患者用量へのＦＤＧの分配のための日課表作成である。個別のバッチは、患者に注入するための４０まで又はそれ以上の個別の用量に充分な放射能を提供できる。バッチが提供できる用量の数は、ラジオファーマシーから顧客、即ち核イメージングセンタ又は病院、までの間の距離をはじめ、各用量の実際の注入時間に依存する。ラジオファーマシーから顧客までの距離が遠くなる程、より多くの放射能を生産する必要があり、従って、サイクロトロン内のボンバードメントプロセスがより長く持続する必要がある。従って、地理的に分散している多数の顧客のＦＤＧに対する需要に応じるために生産すべき放射能の量を正確に決定することが重要になる。
【０００５】
現在のところ、殆どのラジオファーマシーにおいて、ＦＤＧ生産のための日課表が放射線薬剤師による手作業で作成されている。放射線薬剤師は、豊富な専門知識及び経験を有しているが、手作業によるスケジュール作成は、時間を要するプロセスであり、必要以上の過剰なフッ素−１８の生産又は不充分な量のフッ素−１８のいずれかを招く最適とはいえない生産スケジュールを生じることがあり得る。この結果、過剰な労働コスト及び資源を浪費し生産コストを増加させる過剰な量の放射能の廃棄がもたらされるか、又は医用イメージングセンタ及び／又は病院から指定された需要を完全に満たすことができない。従って、ＦＤＧが需要を満たす充分な量で生産され、しかも過剰に生産されることなく無駄が最小化されるように、ＦＤＧ等の放射性医薬品のための生産スケジュールを作成する改善された方法が必要とされている。
【発明の概要】
【発明が解決しようとする課題】
【０００６】
この開示の一側面によれば、生産施設において生産されるべき放射性医薬品の最適化量を決定するためのコンピュータ実装される方法が開示される。放射性医薬品は、医用イメージングセンタ又は病院等の顧客現場における核イメージングのために使用される。最適化量の放射性医薬品は、顧客現場からの注文の総需要を満たすことになり、このとき、放射性医薬品の量が、当該総需要を満たすに充分である一方、放射性医薬品の過剰な生産を最小化する。
【課題を解決するための手段】
【０００７】
いくつかの実施態様によれば、顧客現場における核イメージングに使用する用量の準備のための最適化量の放射性医薬品を生産するためのコンピュータ実装される方法が開示される。最適化量の放射性医薬品は、顧客現場からの注文の総需要を満たすことになる一方、放射性医薬品の過剰な生産を最小化する。放射性医薬品は、１つ又はそれ以上のサイクロトロンを運用する生産施設において生産される。いくつかの実施態様によれば、その種の放射性医薬品生産施設の運用を制御するための制御システムも、また、開示される。
【０００８】
全ての図面は、略図であり、必ずしも縮尺に忠実ではない。
【図面の簡単な説明】
【０００９】
【図１】放射性医薬品生産施設の概略図である。
【図２】放射性医薬品生産プロセスのためのワークフローを図解した概略図である。
【図３】開示されている放射性医薬品生産プロセスの概要を示したフローチャートである。
【発明を実施するための形態】
【００１０】
この例示的な実施態様の説明は、明細書の一部をなすと見做される添付図面と関連して読まれることが意図されている。この開示の一側面によれば、放射性医薬品のための最適化された生産スケジュールを自動的に決定するシステム及び方法が開示される。
【００１１】
最初に、本発明者らは、ＦＤＧの生産プロセスに必然的に伴う主要な決定を統合する柔軟な最適化モデルを開発した。最適化モデルは、ボンバードメント及び放射性核種の崩壊プロセスに関係する制約、ＦＤＧの需要を満たす適正な量の放射能を生産するために必要なサイクロトロン及びターゲットの数の選択に必要とされる二元決定を考慮する。生産スケジュールの立案は、１日を水平に延ばし、それをいくつかの時間的な期間に分割することができる。各イメージングセンタの需要は、前もって知ることができるが、異なる時間的期間によって変動し得る。最適解決策は、３つの主要な決定を伴う：（ａ）ボンバードメント時間の長さ、（ｂ）充分な放射能の生産に使用されるべきサイクロトロン及びターゲットの数、及び（ｃ）各時間的期間内における総需要を満たすために生産されるべき放射能の量である。
【００１２】
概して言えば、ＦＤＧ等の放射性医薬品の生産は、複雑な装置の使用を必要とする。放射性医薬品生産施設２００の一例を図１に略図的に図解する。放射性医薬品生産施設２００は、フッ素−１８を生産するための１つ又はそれ以上のサイクロトロン２１０；１つ又はそれ以上の放射性医薬品合成器２２０；全ての品質保証試験（例えば、無菌性、化学的純度、重金属汚染等についてのバッチ試験）が実施される分析ラボラトリ２３０；及びＦＤＧの総量を、その後、イメージングセンタに引き渡される単位用量に分割する役割を担うディスペンサ２４０を含む。図１においては、サイクロトロン２１０がＣＹＣＬｉとして示されているが、ここでｉは、サイクロトロンの番号を示す。生産施設２００のこれらの構成要素の操作は、コンピュータシステム３００によって可能になる。ＦＤＧの生産のための典型的なワークフローの概要は、図２から理解できる。プロセスは、多くの段階を有する。各段階の完了時間は、（網点のボックスによって示されている）ボンバードメント段階を除いて、前もって知られている。ボンバードメント段階に必要とされる時間は、以下で定義される最適化モデルによって決定される。図２の生産ワークフローは、それぞれ２つのターゲットを採用する２つのサイクロトロンを伴う例に関する。
【００１３】
［放射性崩壊］
現在実践されている手作業による放射性医薬品生産スケジューリングにおいて、放射性医薬品の生産のための放射性核種の生産のスケジューリング及びプランニングが、非常に非効率な結果をもたらす理由の状況を提供する背景として、放射性崩壊の簡単な概要を説明する。
【００１４】
放射性核種は、陽子又は中性子のいずれかの過剰が原因で、原子核をまとまった形で保持するに充分な結合エネルギを有していない不安定な原子核を有する。安定化する過程において、放射性核種は、エネルギ及び／又は物質を原子核から放出して、しばしば新しい元素に転じる。放射性崩壊は、確率論的なプロセスであり、従って、個別の放射性核種が崩壊する時期の蓋然性を決定できるに過ぎない。しかしながら、放射性核種の群について、全体としての崩壊速度を決定することが可能である。放射性核種の群の半減期（ｔ１／２によって示される）は、平均において、当該群の半分が崩壊し、その群の放射能が初期のレベルの半分になるまでに掛かる時間である。放射性同位体の平均寿命（τによって示される）は、それが崩壊するまでの平均時間である。崩壊定数（λによって示される）は、平均寿命の逆数（即ち、λ＝１／τ）であり、特定の時間的期間内に原子核が経験する遷移の確率を表わす。半減期と崩壊定数の間の関係は、式（１）によって記述される。
【００１５】
【数１】
2018151385.tif 000003
（１）
【００１６】
ここで、フッ素−１８の半減期が１０９．７７１分であったことを思い出せば、式（１）を使用して、その崩壊定数の値としてλＦ＝０．００６３１１（／分）を決定することができる。
【００１７】
特定の放射性同位体の所定の試料について、短い時間的間隔ｄｔ＝ｔ１−ｔ０において生じることが期待される崩壊事象の数は、ｄＱによって示され、原子の数の差、ｄＱ＝Ｑｔ１−Ｑｔ０、に比例し、式（２）によって表される。
【００１８】
【数２】
2018151385.tif 000004
（２）
【００１９】
ここで、マイナスの符号は、放射性原子の数が減少することを示す。つまり、Ｑｔ０＞Ｑｔ１である。この式（２）における比例関係は、崩壊定数λを使用することによって次の等式（３）に変形できる。
【００２０】
【数３】
2018151385.tif 000005
（３）
【００２１】
この等式を、時間区間［ｔ０，ｔ１］において積分すれば、式（４）を得る。
【００２２】
【数４】
2018151385.tif 000006
（４）
【００２３】
ここで、Ｑｔ０及びＱｔ１は、時点ｔ０及びｔ１における放射性原子核の数を表わす。
【００２４】
等式（４）は、放射性崩壊の法則として知られ、放射性医薬品の生産及び分配における基本的な役割を担う。等式（４）に基づけば、時間的な間隔に亘って失われて放射性崩壊する放射能の量を決定することが可能である。ボンバードメントプロセスの終了時（ＴＥＯＢによって示される時点）における放射能の量をＱＥＯＢとすれば、注入時ＴＩＮＪにおける放射能の量ＱＩＮＪは、式（５）によって定義される。
【００２５】
【数５】
2018151385.tif 000007
（５）
【００２６】
等式（５）をＱＥＯＢの項について解くことによって、式（６）により、ボンバードメントの終了時に生産されている必要がある放射能の量を決定することが可能である。
【００２７】
【数６】
2018151385.tif 000008
（６）
【００２８】
［サイクロトロン及びターゲット設定］
単一のターゲットのボンバードメントの間に生産される放射能の量ＱＦは、式（７）によって定義される。
【００２９】
【数７】
2018151385.tif 000009
（７）
【００３０】
ここで、ＢＣは、（衝撃粒子束として定義される）ビーム流を表し、ＥＮは、水中の酸素−１８富化を表し、ＳＹは、飽和収率であり、項（１−ｅ−λ（ＴＢＭＢ））とともに、フッ素−１８の生産率を定義し、ＴＢＭＢは、ＴＢＭＢ＝ＴＥＯＢ−ＴＢＯＢ、即ちボンバードメント終了を意味する時点とボンバードメントの開始を意味する時点の間の差として定義されるボンバードメント時間であり、λは、放射性崩壊定数である。
【００３１】
ビーム流は、１０から８０マイクロアンペア（μＡ）の範囲に亘ることがある。ボンバードメント終了（ＥＯＢ）は、ビーム流がゼロにセットされると生じる。充分な量のフッ素−１８の生産を可能とするためには、少なくとも８５％まで酸素−１８を富化した水をフッ素−１８の生産に使用することが重要である。フッ素−１８の生産速度は、結果として生じる核種も、やはり、放射性であること、及び、その崩壊が、生産後随時開始することが予想されるという事実によっても影響を受ける。生産速度と崩壊速度とは、充分に長いボンバードメント時間の後に、最終的に平衡に達することになる。これは、等式（７）の最後の項から演繹可能であり、それによれば、ボンバードメント期間の初期段階（即ち、ＴＢＭＢが小さいとき）においては生産速度が高い一方、ボンバードメント時間ＴＢＭＢが大きくなるに従って、項（１−ｅ−λ（ＴＢＭＢ））がゼロに近づき、生産速度が非常に低くなることが理解できる。ターゲットの飽和収量は、ターゲットによって生産され得るフッ素−１８イオンの理論的最大量を表わす。飽和収量は、サイクロトロンのビームエネルギに依存し、７０から２６０ｍＣｉ／μＡの範囲に亘ることがある。
【００３２】
［ターゲット抜き取りプロセス段階］
各ターゲットによって生産されたフッ素−１８イオンは、抜き取りプロセスの間に単一生成物に統合される。これを達成するため、各ターゲットが、順次、（Ｖバイアルとして知られている）収集バイアルに抜き取られる。各ターゲットの抜き取りは同時にすることができない。各ターゲットについて、抜き取りの時点が異なることがあり得る。最後のターゲットの抜き取りが完了した時点が、抜き取り終了（ＥＯＵ）として定義される。フッ素−１８の連続崩壊の結果、最後のターゲットの抜き取りが完了した後のフッ素−１８の総量は、式（８）によって決定される。
【００３３】
【数８】
2018151385.tif 000010
（８）
【００３４】
ここで、ＱＥＯＵは、ＥＯＵに対して崩壊補正されたフッ素−１８イオンの総量を表し、ＱＦ１は、最後のターゲットの抜き取り時におけるフッ素−１８の量を表し、ＱＦ２、ＱＦ３及びＱＦ４は、より早期のターゲット抜き取り終了時におけるフッ素−１８の量を表し、Ｔ２、Ｔ３及びＴ４は、より早期のターゲット抜き取りの時点とＥＯＵが完了した時点ＴＥＯＵの間の時間的な間隔を表わす。
【００３５】
［別のボンバードメントのための準備におけるターゲットの再装填プロセス段階］
抜き取りプロセスの完了後、別のボンバードメントのための準備において、直ちにターゲットを再装填することができる。再装填プロセスのために必要とされる時間は、最初のターゲット装填プロセスのための時間と同じである。ターゲットが再装填された後、ターゲットに向けてビームを開始し、ビームチューニングプロセスの後に次のボンバードメントを実施してよい。これは、次のボンバードメント期間のためにターゲットが利用可能になる最も早い時間を表わす。
【００３６】
［フッ素−１８イオン移送プロセス段階］
ターゲット抜き取りプロセスが完了した後は、生産されたフッ素−１８イオンの入ったバイアルが、化学モジュールに移送される。使用されるターゲットの数によらず、生産された生成物の各バッチのための移送プロセスは１つしかない。移送プロセスの間において、全体のフッ素−１８イオンから僅かな割合が失われる。移送プロセスが完了する時点が、合成開始（ＢＯＳ）として定義される。ＢＯＳにおけるフッ素−１８イオンの量は、式（９）によって与えられる。
【００３７】
【数９】
2018151385.tif 000011
（９）
【００３８】
ここで、ＱＢＯＳは、ＢＯＳにおけるフッ素−１８イオンの量を表し、ｎは、ターゲットの数を表し、ＦＲは、抜き取りプロセスの間に失われる割合であり、ＴＴＲＡＮは、ターゲット抜き取りプロセスの完了とＢＯＳとの間の時間的な間隔である（即ち、ＴＴＲＡＮ＝ＴＢＯＳ−ＴＥＯＵである）。放射能が失われる割合及び移送時間は、所定の生産施設において、全てのターゲットに関して同一である。
【００３９】
化学プロセス段階−−フッ素−１８イオンの移送プロセスが完了した後、化学モジュールが、利用可能なフッ素−１８イオンを対象のＰＥＴドラッグ（この場合の例においては、ＦＤＧ）に変換する。化学プロセスの間には、一定の割合のフッ素−１８イオンが失われる。この割合は、化学プロセスのパーセント収率と呼ばれる。化学プロセスが完了した時点が、合成終了（ＥＯＳ）として定義される。ＥＯＳにおける生成物の量は、式（１０）によって与えられる。
【００４０】
【数１０】
2018151385.tif 000012
（１０）
【００４１】
ここで、ＱＥＯＳは、ＥＯＳにおける生成物の量を表し、ＰＹは、化学プロセスのパーセント収率を表し、ＴＣＨＥＭは、化学プロセスによって必要とされる時間間隔（即ち、ＴＣＨＥＭ＝ＴＢＯＳ−ＴＥＯＳ）であり、化学時間とも呼ばれる。各ＰＥＴドラッグ生成物は、特異的なパーセント収率及び合成時間を有する。パーセント収率及び合成時間は、各生産施設において異なることがあり得るが、特定の生成物の各バッチについて常に一定である。化学プロセスのための材料及び労働のコストは、生産及び品質管理試験に関連するコストを含む。生産施設は、１つ以上の化学モジュールを有していてよい。化学モジュールは、最大で４バッチの生成物を作成する能力を有し得る。
【００４２】
［生成物の試料採取及び品質管理段階］
化学プロセスが完了した後、品質管理（ＱＣ）試験の目的で生成物の試料採取が行なわれる。この試料は、化学プロセスの終了時に存在する生成物の割合である。生成物の残りの量は、用量分配（ＤＳＰ）に利用可能であり、式（１１）によって与えられる。
【００４３】
【数１１】
2018151385.tif 000013
（１１）
【００４４】
ここで、ＱＤＳＰは、用量分配のために利用可能な生成物の量を表し、ＱＳは、試料に使用される生成物の割合を表わす。各ＰＥＴドラッグは、特異的な試料割合及び試料採取時間を有する。試料割合及び試料採取時間は、各生産施設において異なることがあり得るが、生産施設における生成物の各バッチについて一定である。試料が生成物から取り除かれた後、ＱＣプロセスが実行され、残りの生成物ＱＤＳＰに関して用量分配プロセスを開始することができる。各ＰＥＴドラッグは、特異的なＱＣプロセス時間を有するが、これは、それぞれの生産施設ごとに異なり得る。
【００４５】
［用量分配段階］
用量分配プロセスは、ＱＣプロセスと同時に実行することができる。分配された用量は、ＱＣプロセスが完了して、バッチが全てのＱＣリリース基準に適合するまで生産施設からリリースすることはできない。分配後の全ての用量の崩壊補正後の総量がＱＤＳＰを超えることはあり得ない。この関係は、式（１２）によって与えられる。
【００４６】
【数１２】
2018151385.tif 000014
（１２）
【００４７】
ここで、ＱＤＯＳＥｉは、個別の用量ｉに含まれる生成物の量を表し、ＴＤＯＳＥｉは、用量ｉの注入時間ＴＩＮＪｉとＥＯＳとの間の時間的間隔であり（つまり、ＴＤＯＳＥｉ＝ＴＩＮＪｉ−ＴＥＯＳであり）、総和は、そのバッチに割り当てられた全ての用量ＮＤＯＳＥＳに関する。
【００４８】
上述の放射性医薬品生産モデルは、１日を少数の期間に分割する多期間プロセスと考える例に適用される。生産段階ｔにおいて生じる生成物は、続く段階ｔ＋１において、顧客であるイメージングセンタに輸送される。ここで、１日に考慮される生産段階の数をＮＰＲＤとする。問題の性質上、その複雑性は、期間の数が増加するに従って、ますます大きなものとなる。典型的には、１日に２乃至３の生産及び輸送の期間が存在する。
【００４９】
［決定変数］
未知の量であるが、意志決定者が制御可能であり、かつ最適の値を決定する必要がある決定変数が存在する。例えば、開示されているモデルの適用において、充分な放射能を生産し、１日の間に出される放射性医薬品の注文を全て満たすために必要なサイクロトロン及びターゲットの数は未定である。しかしながら、意志決定者は、使用に関連付けされるコストが存在することから、必要とされるサイクロトロン及び／又はターゲットの最少数を知ることを望む。生産プロセスに関連付けされる変数は、以下の定義のセクションに提供されている。
【００５０】
「生産変数」
ここで、生産段階ｔにおけるサイクロトロンｉでのターゲットｊのボンバードメントの開始及び終了を、それぞれ、ＢＯＢｉｊｔ、ＥＯＢｉｊｔとする。生産段階ｔにおいてサイクロトロンｉ内のターゲットｊに印加されるビーム流をＢＣｉｊｔとする。更に、特定の時間期間内においてターゲットが使用されているか又は使用されていないことを表わす２値変数Ｚｉｊｔを使用する。より具体的に述べれば、生産段階ｔの間にサイクロトロンｉにおいてターゲットｊが使用されていれば、２値変数Ｚｉｊは、１に等しくなり、そうでなければＺｉｊｔが０になる。例えば、最初の生産段階において１番目のサイクロトロンの２番目のターゲットが使用されない場合には、Ｚ１２１＝０となる。
【００５１】
生産段階ｔにおけるターゲット抜き取りプロセスの直近の時点をＥＯＵｔとし、その時点における放射能レベルをＱｔＥＯＵとする。生産段階ｔにおける用量の分配が開始する時点をＴｔＤＳＰとし、その時点における合計の放射能をＱｔＤＳＰとする。
【００５２】
完全な生産最適化モデルは、以下に示す等式（１３）から（２４）によって定義される。
生産施設において生産されるべき放射性医薬品の最適化量を決定するために、（ＥＯＢｉｊｔ−ＢＯＢｉｊｔ）、即ち、その生産施設における生産段階ｔにおけるサイクロトロンｉ、ターゲットｊのボンバードメントの持続時間が次の式（１３）によって最小化される。
【００５３】
【数１３】
2018151385.tif 000015
（１３）
【００５４】
ここで、ＥＯＢｉｊｔは、生産段階ｔにおけるサイクロトロンｉ、ターゲットｊのボンバードメントの終了時間であり、ＢＯＢｉｊｔは、生産段階ｔにおけるサイクロトロンｉ、ターゲットｊのボンバードメントの開始時間であり、以下の制約を受ける。
【００５５】
【数１４】
2018151385.tif 000016
（１４）
【００５６】
ここで、ＴＢＭＢｍｉｎは、最短ボンバードメント時間、ＴＢＭＢｍａｘは、最長ボンバードメント時間、Ｃ＝｛１，．．．，ＮＣＹＣＬ｝、但し、ＮＣＹＣＬは、生産施設（ラジオファーマシー）において利用可能なサイクロトロンの数、Ｇ＝｛１，．．．，ＮＴＲＧ｝、但し、ＮＴＲＧは、生産施設内に存在する全てのサイクロトロンにおいて利用可能なターゲットの数、Ｔ＝｛１，．．．，ＮＰＲＤ｝、但し、ＮＰＲＤは、そのモデル内において考慮される生産段階の数である。
【００５７】
【数１５】
2018151385.tif 000017
（１５）
【００５８】
ここで、ＢＣｍｉｎは、サイクロトロンのビーム流に関する下限、ＢＣｉｊｔは、生産段階ｔにおけるターゲットｊに関するサイクロトロンｉのビーム流、ＢＣｍａｘは、ビーム流の上限である。
【００５９】
【数１６】
2018151385.tif 000018
（１６）
【００６０】
ここで、ＥＯＢｉ１ｔは、生産段階ｔにおけるターゲット１に関するサイクロトロンｉのボンバードメントの終了時間であり、制約（１６）は、いずれのサイクロトロンについても、全てのターゲットのボンバードメントの終了が同時に生じることを規定する。
【００６１】
【数１７】
2018151385.tif 000019
（１７）
【００６２】
ここで、ＴｉｊＵＮＬＤは、サイクロトロンｉにおけるターゲットｊの抜き取り時間であり、ＥＯＵｔは、生産段階ｔにおける全ての抜き取りプロセスが完了する最も遅い時間であり、制約（１７）は、いずれの生産段階ｔにおいても、サイクロトロンｉ内の各ターゲットｊが、ボンバードメントプロセスの終了後に順次抜き取られることを規定する。
【００６３】
【数１８】
2018151385.tif 000020
2018151385.tif 000021
（１８）
【００６４】
ここで、ＢＯＢｉｊ１は、生産段階１（即ち、最初の生産期間）におけるターゲットｊに関するサイクロトロンｉのボンバードメントの開始時間を定義し、ＴＩＮＩＴは、ボンバードメントが開始するまでに必要な合計時間量を表し、ＴＳＴＡＲＴは、生産プロセスが開始する時間（例えば、生産プロセスが０１：１５に開始するのであれば、ＴＳＴＡＲＴ＝７５（即ち、午前零時から７５分後））を表し、ＴＣＹＣＬ−ＩＮＩＴは、サイクロトロンｉの初期化に必要な時間量であり、ＴＴＲＧ−ＬＯＡＤは、ターゲットｊの装填に要する時間量であり、ＴＴＵＮＥ−ＢＥＡＭは、サイクロトロンｉのビーム流のチューニングに必要とされる時間量である。
【００６５】
【数１９】
2018151385.tif 000022
（１９）
【００６６】
ここで、ＥＯＵｔ−１は、生産段階ｔ−１（即ち、生産段階ｔの１つ手前の生産段階）におけるターゲットｊの抜き取りの終了を表わす時点であり、ＴＰＲＥＰは、次の生産段階のためにサイクロトロンｉを準備するために要する時間量である。
【００６７】
【数２０】
2018151385.tif 000023
（２０）
【００６８】
ここで、ＱｔＥＯＵは、ＥＯＵｔにおいて生産される合計放射能、ＢＣｉｊｔは、生産段階ｔにおけるターゲットｊに関するサイクロトロンｉのビーム流であり、ＳＹｉｊは、サイクロトロンｉ内におけるターゲットｊの飽和収量であり、ＥＮｉｊは、サイクロトロンｉ内におけるターゲットｊによるＯ１８水の富化である。
【００６９】
【数２１】
2018151385.tif 000024
（２１）
【００７０】
ここで、ＴＴＲＡＮは、ターゲットの抜き取りプロセスを完了するために必要な時間であり、ＴＣＨＥＭは、化学プロセスを完了するために必要な時間であり、ＴＱＣは、品質管理試験を完了するために必要な時間である。
【００７１】
【数２２】
2018151385.tif 000025
（２２）
【００７２】
ここで、ＴｔＤＳＰは、生産段階ｔにおいて用量分配が開始する時間であり、
【００７３】
【数２３】
2018151385.tif 000026
（２３）
【００７４】
ここで、σは１以上（≧１）の定数、Ｈｔ＝｛２，．．．ＮＳＩＴＥＳ｝、但し、ＮＳＩＴＥＳは、生産段階ｔにおいて要求が満たされるべき注文を行なった顧客現場の数であり、ｑｉは、顧客（即ち、イメージングセンタ）ｉの放射能需要であり、ＴｉｔＩＮＪは、生産段階ｔにおける顧客ｉによって出された全ての注文のうち最も早い注入時間である。
【００７５】
【数２４】
2018151385.tif 000027
（２４）
【００７６】
任意の所定のラジオファーマシーについて、目的は、顧客、即ちイメージングセンタの全ての需要を満たす一方、生産コストが最小化されるような効率的な放射性医薬品の生産を実施することである。言い換えると、過剰生産を伴うことなく、全ての需要をちょうど満たせるに充分な放射性医薬品を生産するということである。
【００７７】
この開示によれば、目的関数が、ラジオファーマシーのための最小生産コストを見つけ出す式（１３）によって定義され、ここで、ｉは、生産のためにそのラジオファーマシーに利用可能なサイクロトロンのセットＣのうちの或るサイクロトロンを表し、ｊは、各サイクロトロンに利用可能なターゲットのセットＧのうちの或るターゲットを表し、ｔは、所定の日内の複数の生産段階のセットＴのうちの或る生産段階を表わす。生産コストは、生産局面のあらゆる段階において必要とされる複数のボンバードメント時間として定義される。
【００７８】
制約の不等式（１４）によって定義される制約により、サイクロトロンｉ内におけるターゲットｊのボンバードメント時間を特定の時間間隔内にすることが必要となり、ここで、ＴＢＭＢｍｉｎ及びＴＢＭＢｍａｘは、それぞれ、最短及び最長許容ボンバードメント時間である。典型的には、ＴＢＭＢｍｉｎ＝３０分、ＴＢＭＢｍａｘ＝４時間又は２４０分である。
【００７９】
同様に、制約の不等式（１５）は、サイクロトロンに使用されるビーム流の下限及び上限を扱い、ここで、ＢＣｍｉｎ及びＢＣｍａｘは、それぞれ、下側及び上側の境界である。典型的な値は、使用されるサイクロトロンのタイプに依存するが、ＢＣｍｉｎ＝４０μＡであり、ＢＣｍａｘ＝８０μＡである。両方程式（１４）及び（１５）における２値変数Ｚｉｊｔの使用により、ターゲットが実際に使用されている場合に、ボンバードメント時間及びビーム流が許容可能な区間内に維持されていることが保証される。使用されないターゲットについては、これらの間隔は、自動的にゼロになる。
【００８０】
制約（１６）により、いずれのサイクロトロンにおいても、ターゲットのためのボンバードメントの終了が、同じ時点において生じることが保証される。いずれの生産段階においても、サイクロトロン内の各ターゲットが、ボンバードメントの終了後に順次抜き取られるとする要件は、制約（１７）によって記述される。これらの制約が、異なるサイクロトロンのボンバードメントの終了が異なる時点において生じることを許容することに留意せよ。それにも拘わらず、抜き取りの終了は、全ての利用可能なサイクロトロンについて共通する時点において生じる。これに対し、制約（１９）は、段階ｔにおけるボンバードメントの開始が、直前の段階ｔ−１における分配時間の後に生じなければならないことを規定する。この制約により、生産が連続する段階として結合される。
【００８１】
生産段階ｔにおける抜き取りの終了時に生産が終了している放射能の量を定義する制約は、式（２０）に記述されている。最初の指数項は、全ての利用可能なサイクロトロン内の全ての利用可能なターゲットのボンバードメントの間に生産される総放射能を定義することに留意せよ。一旦、ターゲットのボンバードメントが終了すると、放射性崩壊プロセスが開始する。この崩壊プロセスが、等式（２０）の２番目の指数項によってモデル化されている。
【００８２】
全てのターゲットが抜き取られた後、放射性物質が、化学モジュールに移送され、そこでフッ素−１８イオンをＰＥＴドラッグ（ＦＤＧ）に変換するための合成プロセスが行なわれる。合成の終了に続いて、ＦＤＧ生成物が、試料採取され、品質管理プロセスが開始する。放射性崩壊は、上記３つの段階の全てを通じて進む。移送、化学及び品質管理のプロセスが完了した後の放射能の量を測定する式が、制約（２１）に記述されている。更に、制約（２２）は、各段階におけるＥＯＵと分配時間の間のタイムラインを接続する。
【００８３】
制約（２３）は、分配時に生産されなければならない放射能の総量と、イメージングセンタから、生産段階ｔの間に使用に供するように注文された放射能の総量とを結びつける。ここで、ｑｉは、イメージングセンタｉによって注文された放射能であり、ｑｉ＊ｅ−λ（●）（但し、●＝ＴｉｔＩＮＪ−ＴｔＤＳＰ）は、生産段階ｔの分配ステップにおいて、イメージングセンタｉのために必要とされる量である。ＱｔＤＳＰは、各段階の分配時において、注文された総放射能より多くなる必要がある。この理由のため、ここでは、注文された総放射能に定数σ≧１が乗じられている。例えば、注文された総放射能より１０％多く放射能を生産することを欲するのであれば、σ＝１．１を設定する。
【００８４】
最後に、Ｚｉｊｔを除く全ての変数は、連続量である。これらの要件は、モデル内の最後の制約（２４）によって記述されている。
【００８５】
［演算結果］
【００８６】
このモデルの効率及び実用性を立証するために、最初に、ラジオファーマシーにおける典型的な日の間のＦＤＧ生産の注文を記述するケーススタディを呈示する。このモデルは、ＦＩＣＯ−Ｘｐｒｅｓｓ最適化パッケージの使用によって実行された。このパッケージは、強力なモデリング言語（Ｍｏｓｅｌ）並びに整数及び連続変数をはじめ、線形及び非線形の制約を伴う問題を解決することが可能な効率的なソルバを含む。
【００８７】
ケーススタディのため、Ｃ１からＣ１０によって示される１０の医用イメージングセンタからなる典型的な平日を選択した。これらのセンタは、合計で４７用量を要求していた。その日は、２つの期間に分割された。表１は、それらの注文及びどのようにそれらがこれら２つの異なる期間に振り分けられたかについて、更なる詳細を示す。生産現場（ラジオファーマシー）は、Ｃ０によって示されている。表１から、多くの用量を注文している顧客がいること、それらの注文が、注入時間に基づいて異なる期間に設定されていることが分かる。その日のより遅くに注入される必要のある注文は、２番目の期間内に設定されている。
【００８８】
【表１】
2018151385.tif 000028
【００８９】
表２は、生産最適化モデルの多様なパラメータのために使用した値をまとめたものである。これらの値は、ユーザの好み及び各生産施設における資源の可用性に基づいて変更することが可能であることに言及しておく。
【００９０】
【表２】
2018151385.tif 000029
【００９１】
表３及び４は、生産段階１及び２の間における放射能の生産についての結果をまとめたものである。段階１のための生産は、０１：００に開始され、それが完了すると、段階２のための生産が開始された。このケーススタディのために、生産施設が２つのサイクロトロンを有し、それぞれのサイクロトロンが最大で２つのターゲットを使用することができるように設定した。モデルは、段階１において全ての利用可能な資源を使用することを決定したが、このことは、両方のサイクロトロン及び４つ全てのターゲットが、段階１のイメージングセンタの需要を満たすに充分な放射能の生産に使用されることを意味した。４つのターゲットそれぞれのためのボンバードメント時間は、６０分であった。これは、４つの放射能生産時間の合計が、１時間の持続時間内に達成されたことを意味する。ボンバードメントプロセスの開始前の準備時間（即ち、サイクロトロン初期化時間（１５分）、ターゲット装填時間（１０分）、及びビームチューニング時間（５分））を考慮に入れて、モデルは、各ターゲットのためのボンバードメントの開始を０１：３０に決定し、０２：３０に終了する必要があるとした。その時点において、全てのターゲットによって生産される総放射能は、９，１８９．４７ｍＣｉである。０２：３０以降は、生産された放射性物質が崩壊を開始することになる。各ターゲットのボンバードメントが完了すると、ターゲットが抜き取られる。抜き取りプロセスは、完了に２×７＝１４分を要し、これは、抜き取りプロセスが０２：４４に完了し、その時点における放射能が８，４１２．３８ｍＣｉであることを意味する（崩壊プロセスのせいで、放射能の量がボンバードメントの終了時の量と比較して減少していることに留意せよ）。移送及び化学プロセスの間に亘って放射能の崩壊は続き、分配の時点においては、放射能が、３，９３３．５１ｍＣｉとなっており、分配時における合計の顧客放射能需要、即ち３，５７５．９２ｍＣｉ、に比べて、１０％増となっている。
【００９２】
【表３】
2018151385.tif 000030
【００９３】
全てのターゲットが抜き取られた後、段階２の需要を満たす必要がある放射能の生産を開始することが可能になる。ボンバードメントに先行する３０分の準備時間を考慮に入れると、段階２におけるボンバードメントの開始は０３：１４である。ここでは、モデルが、段階２の需要をカバーするために１つのターゲットを使用することを決定した。ボンバードメント時間は、０３：１６（各生産段階の間に２分のギャップが見込んでいる。）から０５：４０までの間である。言い換えると、１４４分（即ち、２時間２４分）に亘る単一ターゲットのボンバードメントによって、必要な量の放射能が生産され、いずれのイメージングセンタおいてもＦＤＧ需要が満たされる。段階２におけるＦＤＧ需要は、段階１のそれより少なく、従って、１つのターゲットのみの使用が適当となることに留意せよ。ボンバードメントの終了時における放射能は、３，６１４．２ｍＣｉであり、これは、段階１において生産された対応する放射能よりかなり少ない。こ、れは、次に挙げる要因に帰せられるであろう：（ａ）段階２における顧客（イメージングセンタ）がラジオファーマシーからより近い、（ｂ）注入時間が段階２におけるボンバードメントの開始に、より近い、及び（ｃ）顧客数がより少なく、また、ＦＤＧ需要がより小さい。単一ターゲットの抜き取り終了時及び分配時における放射能は、それぞれ３，４５８．０１ｍＣｉ及び１，６１６．９２ｍＣｉまで減少する。分配時における合計の顧客放射能需要は、１，４６９．９２ｍＣｉである。
【００９４】
【表４】
2018151385.tif 000031
【００９５】
定義
Ｉ．この開示に使われている指数
Ｃ＝｛１，．．．，ＮＣＹＣＬ｝、ここで、ＮＣＹＣＬは、生産施設（ラジオファーマシー）内において利用可能なサイクロトロンの数である。
Ｔ＝｛１，．．．，ＮＰＲＤ｝、ここで、ＮＰＲＤは、モデル内において考慮される生産段階の数である。
Ｇ＝｛１，．．．，ＮＴＲＧ｝、ここで、ＮＴＲＧは、生産施設内に存在する全てのサイクロトロン内において利用可能なターゲットの数である。
Ｈｔ＝｛２，．．．，ＮＳＩＴＥＳ｝、ここで、ＮＳＩＴＥＳは、全ての顧客現場（即ち、イメージングセンタ、病院等）の数である。
ＩＩ．パラメータ
ＢＣｍｉｎ：サイクロトロンのビーム流の下限。
ＢＣｍａｘ：ビーム流の上限。
ＥＮ：Ｏ１８水の富化。
ＦＲ：抜き取りプロセスの間に失われる放射能の割合。
ＰＹ：抜き取りプロセスの放射能のパーセント収率。
ｑｉ：顧客（イメージングセンタ）ｉの放射能需要。
ＱＳ：品質管理試験の間に試験試料として使用される生成物の割合。
ＳＹ：飽和収量。
Ｔ０ＳＹＣＬ：各サイクロトロンの初期化時間。
ＴＢＭＢｍｉｎ：最短ボンバードメント時間。
ＴＢＭＢｍａｘ：最長ボンバードメント時間。
ＴＣＨＥＭ：化学プロセスのために必要とされる時間。
ＴｉＩＮＪ：顧客ｉによってなされた全ての注文のうちの最も早い注入時間。
ＴＰＲＥＰ：次の時間期間のためのサイクロトロンの準備に必要とされる時間量。
ＴＳＴＡＲＴ：全体の生産プロセスが開始する時間。
ＴＣＹＣＬ−ＩＮＩＴ：サイクロトロンの初期化に要する時間。
ＴＴＲＧ−ＬＯＡＤ：ターゲットの装填に要する時間。
ＴＴＵＮＥ−ＢＥＡＭ：サイクロトロンのビーム流のチューニングに要する時間。
ＴＱＣ：品質管理試験の完了に要する時間。
ＴＴＲＡＮ：ターゲットの抜き取りプロセスの完了に要する時間。
ＴＵＮＬＤ：各サイクロトロンにおける各ターゲットの抜き取り時間。
λ：放射性医薬品の放射性崩壊速度（ＦＤＧの場合の値は０．００６３１１）。
ＩＩＩ．連続決定変数
ＢＣｉｊｔ：生産段階ｔにおけるターゲットｊに関するサイクロトロンｉのビーム流。
ＢＯＢｉｊｔ：生産段階ｔにおけるターゲットｊに関するサイクロトロンｉのボンバードメントの開始時間。
ＥＯＢｉｊｔ：生産段階ｔにおけるターゲットｊに関するサイクロトロンｉのボンバードメントの終了時間。
ＥＯＵｔ：生産段階ｔにおけるターゲットの抜き取りプロセスの終了を表わす時点。
ＥＯＵｔ−１：生産段階ｔの１つ手前の生産段階におけるターゲットの抜き取りプロセスの終了を表わす時点。
ＱｔＥＯＵ：ＥＯＵｔにおいて生産された総放射能。
ＴｔＤＳＰ：生産段階ｔにおける分配の開始時間。
ＱｔＤＳＰ：ＴｔＤＳＰにおいて生産された総放射能。
ＩＶ．２値的決定変数
Ｚｉｊｔ：生産段階ｔにおいてサイクロトロンｉ及びターゲットｊが使用されているか否かを示し、使用されていればＺｉｊｔ＝１、使用されていなければＺｉｊｔ＝０となる。
【００９６】
この開示のいくつかの実施態様によれば、生産施設において生産されるべき放射性医薬品の最適化量を決定するためのコンピュータ実装方法が開示される。放射性医薬品は、顧客現場によってなされた注文の総需要を満たすために、顧客現場における核イメージングに使用するためのものである。生産施設は、１つ又はそれ以上のサイクロトロンを運用している。
【００９７】
図３に示されているフローチャート１００を参照すると、放射性医薬品の生産は、ターゲット材料（放射性核種先駆体）に荷電粒子を衝突させて放射性核種材料が生産されるサイクロトロンボンバードメントプロセス１１０と、ターゲット抜き取りプロセス１２０と、放射性核種材料がターゲット抜き取りプロセスから化学プロセスモジュールに移送される放射性核種移送プロセス１３０と、放射性核種材料が放射性医薬品に変換される化学プロセス１４０と、品質管理試験のために放射性医薬品の試料採取が行なわれる品質管理プロセス１５０と、放射性医薬品が個別の用量に分配される用量分配プロセス１６０と、顧客現場への引き渡し１７０と、を包含する。
【００９８】
図１を参照すると、放射性医薬品生産施設２００の運用を制御するコンピュータシステム３００は、ここで開示した方法をも実行する。コンピュータシステム３００は、生産施設において生産されるべき放射性医薬品の最適化量を決定するプロセスを実行する。コンピュータシステムは、また、生産施設の運用も制御する。生産施設において生産されるべき放射性医薬品の最適化量を決定するための方法は、コンピュータシステム３００によって実行され：
生産段階ｔ（但し、ｔ＝１からＮＰＲＤまで）の用量分配プロセスの終了時に、その生産施設におけるＮＣＹＣＬ基のサイクロトロン及びＮＴＲＧ個のターゲットによって生産が望まれる放射性核種ＱｔＤＳＰの総量を決定することを包含し、ここで、ＱｔＤＳＰは、顧客現場によってなされた放射性医薬品の注文の総量ＱＣＵＳＴを満たすに充分である一方、放射性核種の過剰生産を最小化し、それによってＱｔＤＳＰは、上で定義した条件付き制約（２３）を満たし、ＱｔＤＳＰは、上で定義した制約（２１）を解くことによって決定され、ここでＱｔＥＯＵは、上で定義した式（２０）を解くことによって決定され、ここで、（ＥＯＢｉｊｔ−ＢＯＢｉｊｔ）、即ち生産段階ｔにおけるターゲットｊに関するサイクロトロンｉのボンバードメントの持続時間が、上で呈示した制約（１４）乃至（１９）に従って式（１３）によって最小化され、ここで、制約（１９）は、生産段階ｔにおけるボンバードメントの開始が、直前の生産段階ｔ−１における分配プロセスの後に生じなければならないことを規定する。
【００９９】
式（１３）によって表されるＦＤＧ生産モデルは、整数及び連続変数を伴う大規模非線形最適化であるので、放射性医薬品生産施設２００の運用を制御して最適解をもたらすコンピュータシステム３００は、このモデルのために必要とされる演算を実行するだけの充分な演算能力を有するものである。ＦＤＧのための注文数が増加するに従って、生産の日を分割する時間期間の数も、また、増加する。その結果、制約及び（２値及び連続）変数が対応して増加することになる。その種の最適化問題の最適解を決定するために、コンピュータシステム３００は、演算能力を提供する１つ又はそれ以上のプロセッサを有する強力なコンピュータであることが好ましい。いくつかの実施態様においては、コンピュータシステム３００を、最適化モデルの解決専用に充てられるコンピュータの数が増加することから演算時間の短縮が得られる並列コンピュータとすることが可能である。コンピュータシステム３００に対する入力は、イメージングセンタによって提供される注文の詳細（例えば、注入時における放射能の量、ＦＤＧ用量が患者の身体に注入されることになる時間、その生産施設において利用可能なサイクロトロン及びターゲットの数等）とすることができる。コンピュータの出力は、特定の日の間の各期間のための需要を満足するに必要とされるＦＤＧの総量になる。また、各時間期間について、コンピュータシステムは、分配及びイメージングセンタ又は病院への輸送のためにＦＤＧの準備が整う時期を提供する。
【０１００】
生産施設において生産されるべき放射性医薬品の最適化量を決定するための方法のいくつかの実施態様においては、ＴＢＭＢｍｉｎ＝３０分、ＴＢＭＢｍａｘ＝４時間又は２４０分となる。いくつかの方法の実施態様においては、ＢＣｍｉｎ＝４０μＡであり、ＢＣｍａｘ＝８０μＡである。
【０１０１】
いくつかの実施態様によれば、顧客現場によってなされた注文の総需要を満たすために、顧客現場における核イメージングに使用する用量を準備するための、最適化量の放射性医薬品を生産するためのコンピュータ実装される方法が開示される。放射性医薬品は、ＮＣＹＣＬ基のサイクロトロン及びＮＴＲＤ個のターゲットを運用する生産施設において生産される。放射性医薬品の生産は、図３に示されているフローチャートに図解されているステップを包含する。この開示の一側面によれば、コンピュータ化された生産施設によって実行される最適化量の放射性医薬品を生産するための方法は、
生産段階ｔ（但し、ｔ＝１からＮＰＲＤまで）の用量分配プロセスの終了時に、その生産施設においてＮＣＹＣＬ基のサイクロトロン及びＮＴＲＧ個のターゲットによって生産が望まれる放射性核種ＱｔＤＳＰの総量を決定するステップを包含し、ここで、ＱｔＤＳＰは、顧客現場によってなされた放射性医薬品の注文の総量ＱＣＵＳＴを満たすに充分である一方、放射性核種の過剰生産を最小化し、それによってＱｔＤＳＰは、上で定義した条件付き制約（２３）を満たし、ここで、ＱｔＤＳＰは、上で定義した式（２１）を解くことによって決定され、ここで、ＱｔＥＯＵは、生産段階ｔにおいて、１つ又はそれ以上のサイクロトロンのターゲット抜き取りプロセスの終了時に生産されている放射性核種の総量であり、上で定義した式（２０）を解くことによって決定され、ここで上記変数は、上に定義されているとおりであり、ここで、（ＥＯＢｉｊｔ−ＢＯＢｉｊｔ）、即ち生産段階ｔにおけるターゲットｊに関するサイクロトロンｉについてのボンバードメントの持続時間が、上で定義した制約（１４）乃至（１９）に従って、上で定義した式（１３）によって最小化され、その場合の制約（１９）は、生産段階ｔにおけるボンバードメントの開始が、直前の生産段階ｔ−１における分配プロセスの後に生じなければならないことを規定するものであり、更に、この方法は、サイクロトロンのボンバードメントプロセスが時点ＢＯＢｉｊｔにおいて開始し、かつ時点ＥＯＢｉｊｔにおいて終了して、制約（１４）−（１９）に従って、用量分配プロセスの終了時に、所定量のＱｔＤＳＰの放射性医薬品を生産する適切な量の放射性核種が生産されるように、生産段階ｔ内においてターゲットｊを用いてサイクロトロンｉのそれぞれを運用するステップを包含する。
【０１０２】
放射性医薬品の最適化量を生産するための方法のいくつかの実施態様においては、ＴＢＭＢｍｉｎ＝３０分、ＴＢＭＢｍａｘ＝４時間、即ち２４０分となる。放射性医薬品の最適化量を生産するための方法のいくつかの実施態様においては、ＢＣｍｉｎ＝４０μＡであり、ＢＣｍａｘ＝８０μＡである。
【０１０３】
いくつかの実施態様によれば、顧客現場によってなされた注文の総需要を満たすために、顧客現場における核イメージングに使用するための放射性医薬品を生産する生産施設の運用を制御するための制御システムが開示され、ここで、当該生産施設は、１つ又はそれ以上のサイクロトロンを運用し、ここで、放射性医薬品の生産は、ターゲットの放射性核種先駆体に荷電粒子を衝突させて放射性核種材料が生産されるサイクロトロンボンバードメントプロセス段階と；ターゲット抜き取りプロセス段階と；放射性核種材料がターゲット抜き取りプロセス段階から、放射性核種材料が放射性医薬品に変換される化学プロセス段階に移される放射性核種移送プロセス段階と；品質管理試験のために放射性医薬品の試料採取が行なわれる品質管理プロセス段階と；放射性医薬品が、顧客現場への引き渡しのための個別の用量に分配される用量分配プロセス段階と、を包含する。そのような制御システムの一例が図１のコンピュータシステム３００である。この制御システムは、コンピュータプログラムコードがエンコードされた非一過性の機械可読ストレージ媒体を有するプロセッサを包含可能であり、ここで、プロセッサが当該コンピュータプログラムコードを実行すると、プロセッサが、上述の生産施設によって生産されるべき放射性医薬品の最適化量を決定するためのコンピュータ実装された方法を実行する。
【０１０４】
以上の実施態様の説明は、当業者が開示を実施することが可能になるように提供された。これらの実施態様に対する多様な変更が、この分野の当業者には容易に明らかであろうが、この中で定義されている包括的な原理は、発明能力を用いることなく、そのほかの実施態様にも適用できる。この開示は、ここで示したこれらの実施態様に限定されることを意図しておらず、むしろこの中に開示されている原理及び新規の特徴と矛盾しない最も広い範囲に一致する。
【図１】
2018151385.tif 000068
【図２】
2018151385.tif 000069
【図３】
2018151385.tif 000070
【外国語明細書】
2018151385000001.pdf